(57)【要約】【課題】脱臭・除菌性能を向上した冷蔵庫を得ることを目的とする。【解決手段】冷蔵庫本体に設けられた貯蔵室と、前記貯蔵室に冷気を送る吐出口と、前記貯蔵室内上部の奥行き方向の中央より前方に設けられて奥方に向けて照射する可視光発光型のダイオードと、該ダイオードを覆い且つ光触媒を有する透光性のカバーと、前記貯蔵室内を区画して且つ光触媒を有する棚と、を有し、前記ダイオードは前記カバー及び前記棚を照射して、前記吐出口から前記貯蔵室に吐出された冷気が脱臭されることを特徴とする。【選択図】  図３
2011027370.tif 000002
【特許請求の範囲】
【請求項１】
冷蔵庫本体に設けられた貯蔵室と、
前記貯蔵室に冷気を送る吐出口と、
前記貯蔵室内上部の奥行き方向の中央より前方に設けられて奥方に向けて照射する可視光発光型のダイオードと、
該ダイオードを覆い且つ光触媒を有する透光性のカバーと、
前記貯蔵室内を区画して且つ光触媒を有する棚と、を有し、
前記ダイオードは前記カバー及び前記棚を照射して、前記吐出口から前記貯蔵室に吐出された冷気が脱臭されることを特徴とする冷蔵庫。
【請求項２】
冷蔵庫本体に設けられた貯蔵室と、
該貯蔵室内の上部に設けられた紫外光を含まない可視光発光型のダイオードと、
該ダイオードを覆う透光性のカバーと、
前記貯蔵室内を区画する棚と、を有し、
光で励起する光触媒を前記ダイオードが照射される前記カバー，前記棚或いは前記貯蔵室壁面の少なくともいずれかの樹脂部品に設けられたことを特徴とする冷蔵庫。
【請求項３】
請求項１又は２において、前記ダイオードは面発光の発光ダイオードであることを特徴とする冷蔵庫。
【請求項４】
請求項１又は２において、前記ダイオードは前記貯蔵室を開閉する扉が開放された場合に照射することを特徴とする冷蔵庫。
【請求項５】
請求項１又は２において、前記光触媒は平均粒径が１〜１００ナノメートルのナノ酸化チタン粒子が分散して透明又は半透明に被覆されたことを特徴とする冷蔵庫。
【請求項６】
請求項５において、前記ナノ酸化チタン粒子が前記樹脂部品中に５〜２０重量％有することを特徴とする冷蔵庫。
【発明の詳細な説明】
【技術分野】
【０００１】
本発明は、冷蔵庫に関する。
【背景技術】
【０００２】
近年、冷蔵庫の大容量化に伴い、様々な食品を収納するようになり、冷蔵庫内の衛生性，除菌・脱臭への関心が高まっている。冷蔵庫内を除菌・脱臭する構成としては、脱臭フィルタ等を冷気通路に配置して、循環する冷気中の臭気を取り除く構成が知られている。
【０００３】
特許文献１には、紫外線発光ダイオード及び光脱臭触媒を冷気通路に配置した構成が記載されている。この構成において、冷気中の臭気成分が光触媒に吸着し、紫外線発光ダイオードから照射される紫外線によって光触媒が活性化される。そして、触媒表面に吸着した臭気は、酸化分解され脱臭される。
【０００４】
また、従来、冷蔵庫の照明装置には白熱電球等が用いられてきた。しかし、白熱電球は発光時の熱量が大きく、冷却効率が悪化する。そこで、白熱電球に代替する庫内照明として、発光ダイオードが用いられている。発光ダイオードは、発熱量が少なく、省エネルギー性が高い。特許文献２には、冷蔵庫内のランプカバー等に光触媒を塗装し、発光ダイオードによる光の照射により、庫内の防汚性・抗菌性を高める構成が記載されている。
【先行技術文献】
【特許文献】
【０００５】
【特許文献１】特開２００３−３２２４６０号公報
【特許文献２】特開２００８−７５８８７号公報
【発明の概要】
【発明が解決しようとする課題】
【０００６】
しかしながら、特許文献１及び２に記載の構成において、発光ダイオードは指向性が高く、直進的に光を放射する特性がある。よって、光触媒の塗装面全体に光を照射するために、発光ダイオードを複数個用いる必要がある。これにより、熱影響が大きくなったり、高価になったりする、という課題があった。
【０００７】
また、冷気通路に脱臭装置を設置し、紫外線発光ダイオードを用いた場合、脱臭・除菌を行っている状態を直接目視で確認できない。そのため、除菌されていることを認識することができない、という課題があった。
【０００８】
上記課題に鑑みて、本発明は、脱臭・除菌性能を向上した冷蔵庫を得ることを目的とする。
【課題を解決するための手段】
【０００９】
上記課題を解決するために、本発明は、冷蔵庫本体に設けられた貯蔵室と、前記貯蔵室に冷気を送る吐出口と、前記貯蔵室内上部の奥行き方向の中央より前方に設けられて奥方に向けて照射する可視光発光型のダイオードと、該ダイオードを覆い且つ光触媒を有する透光性のカバーと、前記貯蔵室内を区画して且つ光触媒を有する棚と、を有し、前記ダイオードは前記カバー及び前記棚を照射して、前記吐出口から前記貯蔵室に吐出された冷気が脱臭されることを特徴とする。
【００１０】
また、冷蔵庫本体に設けられた貯蔵室と、該貯蔵室内の上部に設けられた紫外光を含まない可視光発光型のダイオードと、該ダイオードを覆う透光性のカバーと、
前記貯蔵室内を区画する棚と、を有し、光で励起する光触媒を前記ダイオードが照射される前記カバー，前記棚或いは前記貯蔵室壁面の少なくともいずれかの樹脂部品に設けられたことを特徴とする。
【００１１】
さらに、前記ダイオードは面発光の発光ダイオードであることを特徴とする。
【００１２】
さらに、前記ダイオードは前記貯蔵室を開閉する扉が開放された場合に照射することを特徴とする。
【００１３】
さらに、前記光触媒は平均粒径が１〜１００ナノメートルのナノ酸化チタン粒子が分散して透明又は半透明に被覆されたことを特徴とする。
【００１４】
さらに、前記ナノ酸化チタン粒子が前記樹脂部品中に５〜２０重量％有することを特徴とする。
【発明の効果】
【００１５】
本発明は、脱臭・除菌性能を向上した冷蔵庫を得ることができる。
【図面の簡単な説明】
【００１６】
【図１】本発明の一実施形態における扉を取り外した状態の冷蔵庫の正面図である。
【図２】図１のＡ−Ａ断面図である。
【図３】図１のＢ−Ｂ断面図である。
【図４】図３のＣ−Ｃ断面図である。
【図５】本発明の一実施形態における光触媒の消臭実験の結果を示す図である。
【図６】本発明の一実施形態における光触媒反応確認の試験結果を示す図である。
【図７】アンモニアの残存率に関する実験結果を示す図である。
【発明を実施するための形態】
【００１７】
以下、本発明の一実施形態について、図面を参照しながら説明する。まず、図１，図２，図３及び図４を参照しながら、本発明の一実施形態の冷蔵庫の全体構成について説明する。図１は、本発明の一実施例における扉を取り外した状態の冷蔵庫の正面図である。図２は、図１のＡ−Ａ断面図、図３は図１のＢ−Ｂ断面図、図４は図３のＣ−Ｃ断面図で、冷気の流れを示している。
【００１８】
冷蔵庫は、前方に開口を有する冷蔵庫本体１、冷蔵庫本体１の前方開口を開閉自在に設けた扉７，９，１０，１１を備えて構成される。冷蔵庫本体１は、鋼板製の外箱１ａと樹脂製の内箱１ｂとの間に、ウレタン発泡断熱材１ｃ及び真空断熱材（図示せず）を有して構成される。また、上から冷蔵室２，左右に配置された第二冷凍室４及び製氷室３，第一冷凍室５，野菜室６の順に、複数の貯蔵室を有している。換言すれば、最上段に冷蔵室２、最下段に野菜室６がそれぞれ区画して配置されており、冷蔵室２と野菜室６との間には、これらの両室と断熱的に仕切られた第二冷凍室４及び第一冷凍室５が配置されている。冷蔵室２及び野菜室６は、冷蔵温度帯（０℃以上であって、一例として約２℃〜１０℃の温度帯）の貯蔵室である。第二冷凍室４及び第一冷凍室６は、冷凍温度帯（０℃以下であって、一例として約−２０℃〜−１８℃の温度帯）の貯蔵室である。これらの貯蔵室２〜６は、仕切り壁１ｄ，１ｅ，１ｆによって区画されている。
【００１９】
なお、第二冷凍室４と第一冷凍室５を仕切る仕切り壁１ｅは、冷蔵庫本体１の開口付近、すなわち冷蔵庫本体１の前部に設けられている。したがって、第二冷凍室４と第一冷凍室５とは仕切り壁１ｅの後方では連通している。これにより、第二冷凍室４と第一冷凍室５の温度はほぼ同じ設定である。
【００２０】
冷蔵庫本体１の前面には、各貯蔵室の前面開口を開閉自在である扉７，９，１０，１１が設けられている。冷蔵室２の扉７は、左扉と右扉の２枚設けられた、いわゆるフレンチドアタイプの回転扉である。具体的に、左扉は冷蔵庫本体１の左方上下のヒンジ（図示せず）によって回転自在に設けられ、右扉は冷蔵庫本体１の右方上下のヒンジ（図示せず）によって回転自在に設けられ、冷蔵室２の前面開口を開閉する。
【００２１】
製氷室扉（図示せず）は、製氷室３の前方開口を開閉する扉である。第二冷凍室４の扉９は、第二冷凍室４の前方開口を開閉する扉である。第一冷凍室５の扉１０は、第一冷凍室５の前方開口を開閉する扉である。野菜室６の扉１１は、野菜室６の前方開口を開閉する扉である。
【００２２】
なお、製氷室扉（図示せず），扉９，１０，１１は、引き出し式の扉によって構成され、引き出し扉とともに各貯蔵室内の夫々の容器が引き出される。
【００２３】
製氷室３内には、自動製氷装置２３ａ及び貯氷容器２３ｂが備えられている。貯氷容器２３ｂは、製氷室扉を引き出すことによって、該製氷室扉と共に引き出される構成である。また、第二冷凍室４内には、第二冷凍室用の容器１２が備えられている。この容器１２は、第二冷凍室扉９を引き出すことで引き出される構成である。
【００２４】
第一冷凍室５内には、鉛直方向に複数の容器が設けられている。具体的に、第一冷凍室５内の下部に第一容器１４，第一冷凍室５内の上部に第三容器１６，第一容器１４と第三容器１６との間に第二容器１５が設けられている。夫々の容器の深さは、第一容器１４，第二容器１５，第三容器１６の順に浅くなる構成である。これにより、収納食品の大きさに合わせて収納することができ、収納効率を向上できる。第一容器１４は、第一冷凍室扉１０の引き出し枠（図示せず）に載置されている。これにより、第一容器１４は、第一冷凍室扉１０の開閉に連動して、第一冷凍室５内を出入する。
【００２５】
第二冷凍室４の内箱１ｂ側壁には、レール（図示せず）が設けられる。このレールを扉９に設けた摺動部（図示せず）が摺動することで、扉９が開閉される。また、扉９の開閉に伴い、容器１２は前後に移動する。
【００２６】
冷蔵室２内には、透明な樹脂板で構成される複数段の貯蔵棚２ａ，２ｂ，２ｃ，２ｄが取り外し可能に上下方向に設置されている。最下段の貯蔵棚２ｄは、内箱１ｂの背面及び両側面に接するように設置され、仕切り壁１ｄと貯蔵棚２ｄとの間に、最下段空間２ｅを上方空間と区画して形成している。また、冷蔵室扉７の内側には、複数段の扉ポケット３３が設置され、これらの扉ポケット３３は扉７が閉じられた場合に、冷蔵室２内に突出するように設けられている。これらの扉ポケット３３を含む庫内部品には、光触媒加工が施されている。詳細は後述する。
【００２７】
最下段空間２ｅには、左から順に、製氷装置２３ａに製氷用の水を供給するための製氷水タンク２４、肉魚の保存に適したチルド温度帯のチルドルーム８が設けられている。なお、チルドルーム８に代えて、室内を減圧して食品の鮮度保持及び長期保存するための減圧貯蔵室を設置する構成であってもよい。
【００２８】
野菜室６内には、複数の容器６ａ，６ｂを備えている。容器６ａは、容器６ｂよりも深い構造である。また、容器６ａは容器６ｂの下方に設けられる。すなわち、２段式の収納構造となっている。これにより、収納物の大きさや種類で分類収納でき、収納効率が向上する。具体的に、容器６ｂには、比較的、小物の野菜や柔らかくつぶれ易い野菜等を収納する。容器６ａには、比較的、大物の野菜や固くてつぶれにくい野菜等を収納する。
【００２９】
また、野菜室６の扉１１を引き出すことで、容器６ａ，６ｂが引き出される構造となっている。また野菜室６の後方には、機械室が設けられ、該機械室内に冷凍サイクルを構成する圧縮機４１が配設される。
【００３０】
次に、各貯蔵室の冷却構造について説明する。冷蔵庫本体１には、冷凍サイクルが設けられている。この冷凍サイクルは、圧縮機４１，凝縮器（図示せず），キャピラリチューブ（図示せず）及び冷却器１８、そして再び圧縮機４１の順に接続して構成されている。
【００３１】
圧縮機４１及び凝縮器は、冷蔵庫本体１の背面下部に設けられた機械室（図示せず）に設置されている。冷却器１８は、製氷室３，第二冷凍室４、及び第一冷凍室５の後方に設けられた冷却器室１７に設置され、この冷却器室１７における冷却器１８の上方に送風ファン２０が設置されている。
【００３２】
冷却器１８によって冷却された冷気は、送風ファン２０によって冷蔵室２，第二冷凍室４，製氷室３，第一冷凍室５、及び野菜室６の各貯蔵室へと送られる。具体的には、送風ファン２０によって送られる冷気は、開閉可能なダンパー装置１９を介して、その一部が冷蔵室２及び野菜室６の冷蔵温度帯の貯蔵室へと送られ、他の一部が第二冷凍室４，製氷室３、及び第一冷凍室５の冷凍温度帯の貯蔵室へと送られる。なお、ダンパー装置１９の開閉は、図示しない制御装置によって制御され、冷蔵室２及び野菜室６へ冷気の供給が必要な場合は開状態となる。
【００３３】
送風ファン２０によって冷蔵室２，第二冷凍室４，製氷室３，第一冷凍室５、及び野菜室６の各貯蔵室へと送られた冷気は、各貯蔵室を冷却した後、夫々の冷気戻り通路（図示せず）を通って冷却器室１７へと戻される。このように、本実施形態の冷蔵庫は、冷気の循環構造を有しており、各貯蔵室を適切な温度に維持する。
【００３４】
冷蔵室２の背面には、送風ファン２０から供給された冷気を通す通路を形成する背面パネル（図示せず）が設けられている。この背面パネルは、高熱伝導性の材料で形成されており、一例としてアルミニウム等の金属で形成される。これにより、冷蔵室２の温度変化を抑制し、貯蔵した食品に与える温度変化による負荷を低減できる。また、除霜運転中等の冷気の供給が少ない場合、背面パネルからの輻射熱によって、冷蔵室２内の温度が上昇することを抑制することができる。
【００３５】
これにより、製氷室３，第二冷凍室４、及び第一冷凍室５は約−２０〜−１８℃、冷蔵室２は約１〜３℃、野菜室６は１〜５℃に、夫々冷却される。この冷却運転の途中、冷却器１７に霜が多量に付着すると、熱交換面積が減少して冷却効率が低下する。そこで、図示しない制御手段によって、冷却運転を一旦停止して、除霜ヒーター１００に通電して、冷却器１８の除霜運転を行う。
【００３６】
また、図３，図４に示すように、冷蔵室２の背面に左右に設けられる冷気通路３０を通った冷気は、吐出口３０ａから冷蔵室２に吐出される。吐出された冷気は、透光性のランプカバー３２内を通過した後、扉ポケット３３に向かって流れる。扉７が開かれた場合、図示しないセンサーによって扉７の開状態が検知されて、冷蔵室２の天井に設置された発光ダイオード３１が庫内を照射する。また、発光ダイオード３１は、光触媒が加工されたランプカバー３２を照射し、ランプカバー３２内を通過した冷気を脱臭・除菌する。
【００３７】
また、ランプカバー３２から拡散された光は、透明な樹脂板であって光触媒が施された複数段の貯蔵棚２ａ，２ｂ，２ｃ，２ｄや、壁等を照射する。
【００３８】
また、ランプカバー３２及び発光ダイオード３１は、冷蔵室２内の天井中央ではなく、扉７に近い奥行き方向の手前側に設置し、光を冷蔵室２の背面に向けて照射することが望ましい。すなわち、扉７付近に照明装置を設置することで、最上段に食品が保存されていても食品によって光が遮られることなく、一定の明るさを保つことができる。
【００３９】
また、光を冷蔵室２の背面に向けて照射することで、奥に保存された食品の視認性を高めるだけでなく、扉７開閉時に使用者の直接目に入る光の量を軽減することができ、食品本来の色（マグロや肉等の色合い等）から鮮度を的確に判断することが可能となる。
【００４０】
本実施例では、上述したランプカバー３２，棚，壁面等の樹脂部品に光触媒の処理を施し、除菌・脱臭作用を持たせている。冷蔵室２に送られる冷気は、第一冷凍室５へ送られる冷気と比較して冷気の量が少なく、全体的に風の流れが穏やかである。しかし、ランプカバー３２，棚，壁面に光触媒の加工処理を施しているため、冷蔵室２内の除菌・脱臭作用が期待できる。また、ランプカバー３２に触媒を塗装した場合、ランプカバー３２自体が光触媒反応で汚れにくくなるため、ランプカバー３２の汚れによる照度の低下を抑制することができる。
【００４１】
樹脂部品は、特に透明又は半透明樹脂で形成されていることが望ましく、それによって発光ダイオード３１の光をランプカバー３２から効率的に拡散することができ、ナノ酸化チタンの触媒作用が発揮されると共に、ナノ酸化チタンが再生される。
【００４２】
次に、本実施例の発光ダイオード３１について説明する。本実施例の発光ダイオード３１は、基盤の表面にフレームを直接半田付けした表面実装型の白色タイプの発光ダイオード３１を光源として用いるのが望ましい。発光ダイオード３１は、太いリボン状の金属線を利用しているので、接続強度をもたせ大電流を流すことができるので、接続部分を保護しチップの光を吸収する封止材を使わなくてよい。
【００４３】
また、放熱性の良いチップと金属基盤を用いることで、放熱性を向上させている。また、パッケージ配光角が１００度と広い物を用いるので、従来から一般的に使用されている砲弾型の配光角（１０度〜６０度）よりも１０倍程度の光を得ることで、高照度で柔らかい光を実現することが可能となる。
【００４４】
すなわち、同じ面積を照射する場合、砲弾型に比べて使用する発光ダイオードの個数を減らすことができ、その分、熱影響を抑え、コストを抑えることが可能となる。また、照度が高く柔らかい光となるので、庫内照明として適した条件となる。
【００４５】
また、本実施例の発光ダイオード３１は、紫外光を含まない目に優しい可視光発光型ダイオードを用いることで、光を直接目で確認することができる。
【００４６】
また、本実施例の発光ダイオード３１は、冷蔵室扉７開放時に点灯するように制御される。すなわち、冷蔵室２の扉７開放時に冷蔵室２の天井に位置するランプカバー３２から光が見えることで、除菌状態を確認することができ、利用者に安心感や清潔感を与えることが可能となる。
【００４７】
また、前記発光ダイオードは、制御装置（例えば、冷蔵室２の扉７に設置）により、扉７閉止時にも点灯モードにすることで、所定時間点灯が可能となる。すなわち、集中的に庫内を掃除する場合等は、冷蔵室扉７にある制御装置（図示せず）を用いることで、冷蔵室扉７閉時でも発光ダイオード３１を所定時間点灯して、除菌・脱臭を行うことができる。また、その様子は扉７の制御装置で確認可能となる。
【００４８】
次に、本実施例で用いる光触媒の塗装条件について説明する。本実施例で用いる光触媒は、透明又は半透明樹脂部品の内側表面に均一の平均粒径が１から１００ナノメートルの酸化チタン粒子（以後、「ナノ酸化チタン」と称する）を被覆した物である。
【００４９】
ナノ酸化チタン粒子を分散させる樹脂としては、ナノ酸化チタン分散体と親和性の良い物である必要がある。ナノ酸化チタンが水系の分散媒に分散された物であるので、水溶性の樹脂を水溶化した物が好ましい。例えば、ポリメタクリル酸メチル樹脂（ＰＭＭＡ）などが望ましい。
【００５０】
また、ナノ酸化チタンのチタン原子の一部が金属イオンである亜鉛，銀，鉄などで置換又は、ナノ酸化チタン粒子に付加している物が好ましい。特に、鉄原子が置換、又は付加している物が望ましい。金属イオンの存在にナノ粒子表面で酸化と還元の反応場を離すことで、酸化還元反応が盛んとなり、脱臭・除菌効率を向上させることができる。
【００５１】
さらに、ナノ酸化チタン粒子の塗膜における含有量は、５〜１５％、特に１０％が好ましい。ナノ酸化チタン粒子の塗膜における含有量が５％以下となると、光触媒反応に必要な量を満たすことができず、含有量が１５％以上となると、分散させる樹脂が透明な場合でも塗膜が不透明、又は殆ど不透明となり、触媒がその機能を十分に発揮することができない。
【００５２】
光が照射しない場合でも、物理吸着により脱臭・除菌が可能なため、長期間電源を入れない場合等、光が照射されない場合でも、脱臭・除菌効果を得ることができる。なお、樹脂類を劣化させることがなく、安全である。
【００５３】
次に、本発明のランプカバー３２を使用したナノ酸化チタンの消臭実験の結果について説明する。図５は、本発明に使用するナノ酸化チタンの消臭実験の結果を示す。
【００５４】
試料として、透明なポリスチレン樹脂で成型したランプカバー３２に、平均粒径が１から１００ナノメートルの酸化チタン粒子を被覆したものを用いた。
【００５５】
実験条件は、４０Ｌの容量のＢＯＸに、上記ランプカバー３２を入れ、外部からの光が入らないように遮光する。さらに、臭い成分としてアンモニアを充填して、ナノ酸化チタンと接触させて、２４時間放置後、ＢＯＸ内のアンモニア濃度を検知管で測定した。実験条件として、自然減衰の場合（符号３４）、ランプカバー３２に光を照射しない場合（符号３５）、ランプカバー３２に発光ダイオード３１を照射した場合（符号３６）の３条件として、図５にＢＯＸ内のアンモニア残存率を示す。
【００５６】
図５に示す実験結果から、自然減衰でのアンモニアの残存率は３３［％］（符号３４）、ランプカバー３２に光を照射しない場合のアンモニアの残存率は１７［％］（符号３５）、ランプカバー３２に発光ダイオード３１を照射した場合のアンモニアの残存率は３［％］（符号３６）となった。
【００５７】
以上より、自然減衰でのアンモニアの残存率（符号３４）と、ランプカバー３２に光を照射しない場合（符号３５）のアンモニアの残存率を比較すると、１.９倍の脱臭能力の差があるといえる。すなわち、ランプカバー３２に光を照射しない場合（符号３５）、自然減衰の場合（符号３４）に比べて、アンモニア残存率が低くなる。このことから、光を当てない状態でも、脱臭効果を発揮することがわかる。これより、長期間、扉開閉がない場合でも、脱臭効果が発揮されるといえる。
【００５８】
また、自然減衰の場合（符号３４）と、ランプカバー３２に発光ダイオード３１を照射した場合（符号３６）とを比較すると、触媒および光の有無で１１倍脱臭能力に差があるといえる。これは脱臭皮膜に吸着し、さらに光触媒反応により分解するためである。すなわち、光が照射されることによって、光触媒の酸化還元反応が促進され脱臭が行われたといえる。
【００５９】
次に、光触媒反応により有害物質が水と二酸化炭素に分解されたかを確認することとした。図６に、本発明のランプカバー３２を使用したナノ酸化チタンの光触媒反応確認試験の結果を示す。
【００６０】
試験ガスは、アセトアルデヒド（ＣＨ3ＣＨＯ）を用いた。アセトアルデヒドは、光触媒反応により分解されると酸化還元反応により分解生成物として二酸化炭素を生じる。そこで、分解によるアセトアルデヒド濃度の減少及び二酸化炭素濃度の増加を計測することで、光触媒反応が行われているか確認する。
【００６１】
試料として、透明なポリスチレン樹脂で成型したランプカバー３２に、平均粒径が１から１００ナノメートルの酸化チタン粒子を被覆したものを用いた。
【００６２】
実験条件は、５Ｌのガスバリア性の高いテドラーバックに上記ランプカバー３２と発光ダイオード３１を入れ、上記ランプカバー３２の上面に発光ダイオード３１を位置させ光を照射する。なお、「テドラー」は、デュポン（DuPont）社の登録商標である。
【００６３】
５Ｌのテドラーバックは、外部からの光が入らないように遮光し、臭い成分としてアセトアルデヒドを充填して、ナノ酸化チタンと接触させて、経時的に５Ｌのテドラーバック内の二酸化炭素濃度及びアセトアルデヒド濃度を検知管で測定した。図６は、経時的に測定した二酸化炭素の残存率３７およびアセトアルデヒドの残存率３８を示す。
【００６４】
図６に示す実験結果から、７時間経過後に二酸化炭素の残存率３７は増加し、アセトアルデヒドの残存率３８は減少していることを確認した。
【００６５】
以上より、本実施例のナノ酸化チタンを塗装したランプカバー３２に発光ダイオード３１を照射することで、二酸化炭素が増加し、アセトアルデヒドが減少しているといえる。すなわち、アセトアルデヒドが光触媒反応により分解されたといえる。
【００６６】
次に、光照射効率を向上させる検討を行った。発光ダイオード３１を用いて光を照射した場合も、ランプカバー３２に照射される光には場所によって若干ムラが生じる。これにより、光触媒反応が十分行われない場合がある。
【００６７】
そこで、光反射手段（図示せず）を設けることで、ランプカバー３２で光が照射されない部分も、光の反射により照射されると考えられる。すなわち、光照射効率を向上させることによる、光触媒反応の効果を確認することとした。ここで、光反射手段は、鏡面素材が望ましく、鏡や金属板等またミラーマット等のシートが挙げられる。
【００６８】
以下に、本実施例のランプカバー３２の上面に光反射手段を用いた時の、ナノ酸化チタンの消臭試験結果を示す。本実施例では、アルミ板をウェーブ状に加工した物を光反射手段として用い、ランプカバー３２の外側と内側に用いた。図７は、本実施例に使用するナノ酸化チタンを用いて、発光ダイオード３１の光を反射させた時のアンモニアの脱臭性能を確認する試験結果を示す。試料として、透明なポリスチレン樹脂で成型したランプカバー３２に、平均粒径が１から１００ナノメートルの酸化チタン粒子を被覆した物を用いた。
【００６９】
実験条件は、４０Ｌの容量のＢＯＸに、ランプカバー３２を入れ、ランプカバー３２の上面と下面に光反射手段を用いた。光反射手段を用いることで、発光ダイオード３１からの光を乱反射させて効率的にランプカバー３２に光を照射することが可能となり脱臭能力向上が期待される。
【００７０】
また、４０Ｌの容量のＢＯＸは、外部からの光が入らないように遮光し、臭い成分としてアンモニアを充填して、ナノ酸化チタンと接触させて、２４時間放置後、ＢＯＸ内のアンモニア濃度を検知管で測定した。
【００７１】
図７は、自然減衰でのアンモニアの残存率（符号３９）、ランプカバー３２に発光ダイオード３１を照射し光反射手段を用いない場合のアンモニアの残存率（符号４０）、ランプカバー３２に発光ダイオード３１を照射し反射板を用いた場合のアンモニアの残存率（符号４１）の３条件における、ＢＯＸ内のアンモニア残存率を示す。
【００７２】
図７に示す実験結果から、７時間経過後に、自然減衰でのアンモニアの残存率（符号３９）は３３［％］、ランプカバー３２に発光ダイオード３１を照射し光反射手段を用いない場合のアンモニアの残存率（符号４０）は３［％］、ランプカバー３２に発光ダイオード３１を照射し反射板を用いた場合のアンモニアの残存率（符号４１）は１［％］となった。
【００７３】
以上より、ナノ酸化チタンを塗装したランプカバー３２に発光ダイオード３１を照射する際に、光反射手段を用いることで、ランプカバー３２の端部分等の、光が届きにくい箇所にも光が照射されることで、光触媒反応が効率的に働き、脱臭能力を向上させることができる。
【００７４】
上記の実施例によれば、次の如き効果を有する。すなわち、樹脂部品に光触媒加工を施して、光を照射することで、冷蔵室内の冷気を除菌・脱臭でき、その様子を容易に目視確認できるため、使用者に清潔な状態であるという安心感を与えることができる。
【００７５】
また、面発光タイプの発光ダイオードを用いることで、従来よりも発光ダイオードの使用量を減らすことが可能となるため、熱影響を抑えコストを低減でき効率的に光触媒反応を行うことが可能となる。
【００７６】
また、透明樹脂部品には平均粒径が１から１００ナノメートルの酸化チタン粒子を被覆したことにより、透明度を損ねることなく脱臭機能を付加でき、光触媒反応で脱臭能力も持続する。
【符号の説明】
【００７７】
１  冷蔵庫本体
２  冷蔵室
２ａ，２ｂ，２ｃ，２ｄ  棚
３０  冷気通路
３１  発光ダイオード
３２  ランプカバー
３３  扉ポケット
【図１】
2011027370.tif 000003
【図２】
2011027370.tif 000004
【図３】
2011027370.tif 000005
【図４】
2011027370.tif 000006
【図５】
2011027370.tif 000007
【図６】
2011027370.tif 000008
【図７】
2011027370.tif 000009